(57)【要約】【課題】携帯端末にデータを効率的に送信することができる撮像装置を提供する。【解決手段】撮像装置１００は、メモリ３０に記憶された画像リスト情報を携帯端末３００に送信する（Ｓ６１０）。携帯端末３００から画像要求を受信すると、要求種別を判別する（Ｓ６１５）。要求種別が画像要求である場合、メモリ３０に記憶された画像を送信する（Ｓ６１６）。一方、要求種別がサムネイル画像要求である場合、メモリ３０に記憶されたサムネイル画像を送信する（Ｓ６１７）。このとき、要求種別が画像ファイル名要求である場合、サムネイル画像の代わりに、あるいはサムネイル画像と共に画像ファイル名を含む画像情報を携帯端末３００に送信する。【選択図】図７
2006295957.tif 000002
【特許請求の範囲】
【請求項１】
画像を記憶する記憶手段と、
前記記憶手段に記憶された画像の数に応じて、前記記憶手段に記憶された画像のサムネイル画像又はファイル名を携帯端末に送信する送信手段とを備えたことを特徴とする撮像装置。
【請求項２】
撮像装置に記憶された画像の数を判別し、前記判別した画像の数に応じて、前記撮像装置に記憶された画像のサムネイル画像又はファイル名を携帯端末に送信することを特徴とする撮像装置のデータ送信方法。
【請求項３】
撮像装置に記憶された画像の数を判別し、前記判別した画像の数に応じて、前記撮像装置に記憶された画像のサムネイル画像又はファイル名を携帯端末に送信することを特徴とする撮像装置のためのデータ送信プログラム。
【請求項４】
撮像装置に記憶された画像の数を判別し、前記判別した画像の数に応じて、前記撮像装置に記憶された画像のサムネイル画像又はファイル名を携帯端末に送信することを特徴とする撮像装置のためのデータ送信プログラムを記憶した記憶媒体。
【発明の詳細な説明】
【技術分野】
【０００１】
本発明は、撮像装置、データ送信方法、データ送信プログラムおよび記憶媒体に関する。
【背景技術】
【０００２】
近年、半導体技術の進歩により、携帯端末の普及はめざましい。さらに、携帯端末の多くは音声通話に加え、文字メール機能や簡易的なＷｅｂブラウザ機能を実現できるようになっている。次世代携帯端末の更なるコミュニケーション能力の向上を考えると、画像の撮影機能およびその通信機能が重要になってくると思われる。
【０００３】
従来、カメラで撮影した画像をデジタル化し、携帯端末を使用して伝送する試みは行われているが、通信速度の向上およびデジタルカメラの高画質化によって、その実用性は一段と向上している。
【０００４】
事実、デジタルカメラは、近年その性能が飛躍的に向上し、いわゆるＬサイズ程度の印字である場合、銀塩カメラ（銀塩フィルムを用いたカメラ）に近い画質で撮影を行うことができるようになっている。
【０００５】
したがって、銀塩カメラを用いて撮影し、ミニラボ等によって現像、焼き付けを行わせ、このようにして得た画像をスキャナ等でデジタル化して伝送する時間や手間を考えると、デジタルカメラと携帯端末を使って画像通信を行う方がはるかに効率的になったと言える。
【０００６】
また、このように、デジタルカメラと携帯端末を使って画像通信を行うことは、通信需要の多様化、マルチメディア化という現代社会の方向性にも合致する。
【０００７】
しかし、現状では、デジタルカメラと携帯端末を使って画像通信を行うためには、デジタルカメラで撮影した画像を、有線またはメモリ等を介してパソコンに取り込み、携帯端末とパソコンを接続して公衆回線に接続し、画像転送を行わなければならなかった。
【０００８】
また、特許文献１に示されるように、ＩｒＤＡ（赤外線通信）またはＰＨＳを使用し、携帯端末と電子撮像装置との間で、制御情報、ステータス情報、画像データを送受信し、携帯端末と電子撮像装置の同期動作を実現させることで、電子撮像装置を携帯端末によって操作する方法も提案されている。
【特許文献１】特開平１１−００８８２３号公報
【発明の開示】
【発明が解決しようとする課題】
【０００９】
しかしながら、上記従来例では、デジタルカメラと携帯端末を同時に持ち歩き、デジタルカメラで撮影した画像を、無線通信で転送するためには、両者をそれぞれ別々に操作しなければならず、煩わしいという問題があった。
【００１０】
また、特許文献１に示されるように、携帯端末と電子撮像装置の同期動作を実現させることで、電子撮像装置を携帯端末によって操作する場合、携帯端末から電子撮像装置を制御することが可能であるが、電子撮像装置の制御情報、ステータス情報、画像データを携帯端末で扱えるようにしただけでは、操作性が向上するとは限らない。
【００１１】
携帯端末と電子撮像装置では、操作情報、あるいは画像を表示する液晶画面のサイズ、解像度、操作ボタンの数、種類なども、当然違っているので、携帯端末から電子撮像装置の制御情報、ステータス情報を使用して制御しても、思った程の操作性の向上は得られない。
【００１２】
さらに、特許文献１に示されたシステムを実施するためには、携帯端末に、電子撮像装置の全ての動作をシミュレーションするプログラムが必要となり、携帯端末のプログラム量が著しく増加してしまう。
【００１３】
そこで、本発明は、携帯端末にデータを効率的に送信することができる撮像装置、データ送信方法、データ送信プログラムおよび記憶媒体を提供することを目的とする。
【課題を解決するための手段】
【００１４】
上記目的を達成するために、本発明の撮像装置は、画像を記憶する記憶手段と、前記記憶手段に記憶された画像の数に応じて、前記記憶手段に記憶された画像のサムネイル画像又はファイル名を携帯端末に送信する送信手段とを備えたことを特徴とする。
【００１５】
本発明のデータ送信方法は、撮像装置に記憶された画像の数を判別し、前記判別した画像の数に応じて、前記撮像装置に記憶された画像のサムネイル画像又はファイル名を携帯端末に送信することを特徴とする。
【００１６】
本発明のデータ送信プログラムは、撮像装置に記憶された画像の数を判別し、前記判別した画像の数に応じて、前記撮像装置に記憶された画像のサムネイル画像又はファイル名を携帯端末に送信することを特徴とする撮像装置のためのものである。
【００１７】
本発明の記憶媒体は、撮像装置に記憶された画像の数を判別し、前記判別した画像の数に応じて、前記撮像装置に記憶された画像のサムネイル画像又はファイル名を携帯端末に送信することを特徴とする撮像装置のためのデータ送信プログラムを記憶したものである。
【発明の効果】
【００１８】
本発明によれば、撮像装置に記憶された画像の数に応じて、適切な種別のデータを送信することができる。従って、携帯端末にデータを効率的に送信することができる。
【発明を実施するための最良の形態】
【００１９】
本発明の撮像装置、データ送信方法、データ送信プログラムおよび記憶媒体の実施の形態について図面を参照しながら説明する。
【００２０】
［第１の実施形態］
図１は第１の実施形態における画像転送システムの全体構成を示す図である。撮像装置１００および携帯端末３００は、Ｂｌｕｅｔｏｏｔｈ規格に基づく通信等のスペクトラム拡散方式の無線通信により、コマンド、撮影画像を含むデータを相互に送受信可能である。同様に、撮像装置５００および携帯端末７００も、コマンド、撮影画像を含むデータを相互に送受信可能である。また、携帯端末３００および携帯端末７００は、公衆通信網８００を介して無線通信可能である。このように、撮像装置１００および撮像装置５００は、携帯端末３００、７００を介して互いに接続可能である。
【００２１】
図２は撮像装置１００および携帯端末３００の外観的構成を示す図である。撮像装置１００は、フラッシュ４８、モードダイアルスイッチ６０、シャッタスイッチ６２、６４、単写／連写スイッチ６６、圧縮モードスイッチ６８、操作部７０、メインスイッチ７２、光学ファインダ１０４、通信部１１０、アンテナ１１２、撮影レンズ１０等を筺体各部に装備する。
【００２２】
一方、携帯端末３００は、マイク３１０、スピーカ３１８、通信部３２６、アンテナ３２８、通信部３３０、アンテナ３３２、表示部３６０、操作部３６２等を筺体各部に装備する。
【００２３】
また、撮像装置１００はスロット１０１を有し、このスロット１０１の中に記録媒体１２０を収容することができる。同様に、携帯端末３００はスロット３０１を有し、このスロット３０１の中に記録媒体２００を収容することができる。
【００２４】
尚、撮像装置５００および携帯端末７００の外観的構成は、それぞれ撮像装置１００および携帯端末３００の外観的構成と同じであるので、その説明を省略する。また、撮像装置５００および携帯端末７００の内部の電気的構成も、同様に、後述する撮像装置１００および携帯端末３００の内部の電気的構成と同じであるので、その説明を省略する。
【００２５】
図３は撮像装置１００の内部の電気的構成を示すブロック図である。撮像装置１００は、保護部１０２、撮影レンズ１０、シャッタ１２、撮像素子１４、Ａ／Ｄ変換器１６、タイミング発生回路１８、画像処理回路２０、メモリ制御回路２２、画像表示メモリ２４、Ｄ／Ａ変換器２６、画像表示部２８、メモリ３０、圧縮・伸長回路３２、光学ファインダ１０４、通信部１１０、アンテナ１１２、システム制御回路５０、露光制御部４０、測距制御部４２、ズーム制御部４４、バリア制御部４６、フラッシュ４８、電源制御部８０、コネクタ８２、８４、電源８６、メモリ５２、表示部５４、不揮発性メモリ５６、識別情報５８、モードダイアルスイッチ６０、シャッタスイッチ６２、６４、単写／連写スイッチ６６、圧縮モードスイッチ６８、操作部７０およびメインスイッチ７２を備える。
【００２６】
上記構成を有する撮像装置１００では、撮影レンズ１０は、被写体の光学像を取り込む。シャッタ１２は絞り機能を有する。撮像素子１４は、撮影レンズ１０を介して取り込んだ光学像を電気信号に変換する。Ａ／Ｄ変換器１６は、撮像素子１４から出力されるアナログ信号をディジタル信号に変換する。タイミング発生回路１８は、撮像素子１４、Ａ／Ｄ変換器１６およびＤ／Ａ変換器２６にクロック信号および制御信号を供給する回路であり、メモリ制御回路２２およびシステム制御回路５０により制御される。
【００２７】
画像処理回路２０は、Ａ／Ｄ変換器１６からのデータ、あるいはメモリ制御回路２２からのデータに対して所定の画素補間処理や色変換処理を行う。また、画像処理回路２０は、撮像された画像データを用いて所定の演算処理を行い、この得られた演算結果に基づき、システム制御回路５０が露光制御部４０および測距制御部４２を制御するための、ＴＴＬ（スルー・ザ・レンズ）方式のＡＦ（オートフォーカス）処理、ＡＥ（自動露出）処理およびＥＦ（フラッシュプリ発光）処理を行う。さらに、画像処理回路２０は、撮像された画像データを用いて所定の演算処理を行い、この得られた演算結果に基づき、ＴＴＬ方式のＡＷＢ（オートホワイトバランス）処理も行う。
【００２８】
メモリ制御回路２２は、Ａ／Ｄ変換器１６、タイミング発生回路１８、画像処理回路２０、画像表示メモリ２４、Ｄ／Ａ変換器２６、メモリ３０および圧縮・伸長回路３２を制御する。Ａ／Ｄ変換器１６から出力されるデータは、画像処理回路２０およびメモリ制御回路２２を介して、あるいは直接メモリ制御回路２２を介して画像表示メモリ２４あるいはメモリ３０に書き込まれる。
【００２９】
画像表示部２８はＴＦＴ液晶表示器（ＬＣＤ）等から構成される。画像表示メモリ２４に書き込まれた表示用の画像データは、Ｄ／Ａ変換器２６を介して画像表示部２８に表示される。
【００３０】
撮像した画像データを画像表示部２８に逐次表示することにより、電子ファインダ機能を実現することが可能である。また、画像表示部２８は、システム制御回路５０からの指示にしたがって、任意に表示をＯＮ／ＯＦＦさせることが可能であり、表示をＯＦＦにした場合、撮像装置１００の電力消費を大幅に低減できる。
【００３１】
メモリ３０は、撮影した静止画像や動画像を格納するための揮発性メモリおよび／または不揮発性メモリからなるメモリであり、所定枚数の静止画像や所定時間の動画像を格納するのに十分な記憶容量を有する。複数枚の静止画像を連続して撮影する連写撮影やパノラマ撮影の場合にも、高速かつ大量の画像書き込みをメモリ３０に対して行うことが可能である。また、メモリ３０は、システム制御回路５０の作業領域としても使用可能である。
【００３２】
圧縮・伸長回路３２は、適応離散コサイン変換（ＡＤＣＴ）等により画像データを圧縮・伸長する回路であり、メモリ３０に格納された画像データを読み込んで圧縮処理あるいは伸長処理を行い、処理を終えた画像データをメモリ３０に書き込む。
【００３３】
露光制御部４０は、絞り機能を備えるシャッタ１２を制御するものであり、フラッシュ４８と連携することによりフラッシュ調光機能を有する。測距制御部４２は、撮影レンズ１０のフォーカシングを制御する。ズーム制御部４４は、撮影レンズ１０のズーミングを制御する。バリア制御部４６は、バリアである保護部１０２の動作を制御する。フラッシュ４８は、ＡＦ補助光の投光機能およびフラッシュ調光機能を有する。露光制御部４０および測距制御部４２は、ＴＴＬ方式で制御される。撮像した画像データが画像処理回路２０によって演算された演算結果に基づき、システム制御回路５０は露光制御部４０および測距制御部４２を制御する。
【００３４】
また、システム制御回路５０は、撮像装置１００全体を制御する。メモリ５２は、システム制御回路５０の動作用の定数、変数、プログラム等を記憶する。表示部５４は、システム制御回路５０におけるプログラムの実行に応じ、文字、画像、音声等を用いて動作状態やメッセージ等を表示する液晶表示装置、スピーカ等で構成され、撮像装置１００の操作部近傍の視認し易い位置に単数あるいは複数設置されている。表示部５４は、例えば、ＬＣＤやＬＥＤ、発音素子等の組み合わせから構成される。また、表示部５４は、その一部の機能が光学ファインダ１０４内に設置されている。
【００３５】
表示部５４の表示内容のうち、ＬＣＤ等に表示されるものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示などがある。また、表示部５４の表示内容のうち、光学ファインダ１０４内に表示するものとしては、合焦表示、手振れ警告表示、フラッシュ充電表示、シャッタスピード表示、絞り値表示、露出補正表示などがある。
【００３６】
不揮発性メモリ５６は電気的に消去・記録可能なメモリであり、不揮発性メモリ５６には、例えば、ＥＥＰＲＯＭ等が用いられる。識別情報部５８には、通信部１１０およびアンテナ１１２を介して携帯端末３００と通信を行う際、通信に先立って認証を行うための各種識別情報が格納されている。
【００３７】
モードダイアルスイッチ６０、シャッタスイッチ６２、６４、単写／連写スイッチ６６、圧縮モードスイッチ６８、操作部７０およびメインスイッチ７２は、システム制御回路５０の各種の動作指示を入力するための操作部であり、スイッチ、ダイアル、タッチパネル、視線検知によるポインティングデバイス、音声認識装置などを単数あるいは複数組み合わせて構成される。
【００３８】
これら各操作部を具体的に示す。メインスイッチ７２は、電源オンおよび電源オフを切り替えて設定可能である。モードダイアルスイッチ６０は、自動撮影モード、撮影モード、パノラマ撮影モード、再生モード、マルチ画面再生・消去モード、ＰＣ（パーソナルコンピュータ）接続モード等の各機能モードに切り替えて設定可能である。シャッタスイッチＳＷ１（６２）は、シャッタボタン（図示せず）の操作途中でＯＮとなり、ＡＦ（オートフォーカス）処理、ＡＥ（自動露出）処理、ＡＷＢ（オートホワイトバランス）処理、ＥＦ（フラッシュプリ発光）処理などの動作開始を指示する。
【００３９】
シャッタスイッチＳＷ２（６４）は、シャッタボタン（図示せず）の操作完了でＯＮとなり、撮像素子１４から読み出した信号を基にＡ／Ｄ変換器１６およびメモリ制御回路２２を介して画像データをメモリ３０に書き込む露光処理、画像処理回路２０やメモリ制御回路２２における演算を用いた現像処理、メモリ３０から画像データを読み出す読出処理、圧縮・伸長回路３２における圧縮処理、記録媒体２００に画像データを書き込む記録処理といった一連の処理の動作開始を指示する。
【００４０】
単写／連写スイッチ６６は、シャッタスイッチＳＷ２（６４）を押した場合、１コマの撮影を行って待機状態とする単写モードと、シャッタスイッチＳＷ２（６４）を押している間、連続して撮影を行い続ける連写モードとを設定可能である。
【００４１】
圧縮モードスイッチ６８は、ＪＰＥＧ（Ｊｏｉｎｔ  Ｐｈｏｔｏｇｒａｐｈｉｃ  Ｅｘｐｅｒｔｓ  Ｇｒｏｕｐ）圧縮の圧縮率を選択したり、あるいは撮像素子１４の信号をそのままディジタル化して記録媒体に記録するＣＣＤＲＡＷモードを選択可能である。
【００４２】
操作部７０は、各種ボタンやタッチパネルなどから構成され、メニューボタン、セットボタン、マクロボタン、マルチ画面再生改ページボタン、フラッシュ設定ボタン、セルフタイマボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン、再生モード／マイナス画面再生・消去モード／ＰＣ接続モード等の各機能モードを設定可能な再生スイッチ、シャッタスイッチＳＷ１（６２）を押した場合、オートフォーカス動作を開始し、一旦合焦した場合、その合焦状態を保ち続けるワンショットＡＦモードとシャッタスイッチＳＷ１（６２）を押している間、連続してオートフォーカス動作を続けるサーボＡＦモードとを設定可能なＡＦモード設定スイッチ、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチなどを有する。尚、上記プラスボタンおよびマイナスボタンの各機能は、回転ダイアルスイッチを備えることによって、より軽快に数値や機能を選択することが可能となる。
【００４３】
電源制御部８０は、電池検出回路、ＤＣ−ＤＣコンバータ、通電するブロックを切り替えるスイッチ回路などから構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部に供給する。電源８６は、アルカリ電池やリチウム電池などの一次電池やＮｉＣｄ電池、ＮｉＭＨ電池、Ｌｉ−ｉｏｎ電池などの二次電池、ＡＣアダプタなどから構成される。
【００４４】
保護部１０２は、撮像装置１００の撮影レンズ１０を含む撮像部を覆うことにより、撮像部の汚れや破損を防止するバリアである。光学ファインダ１０４は、画像表示部２８による電子ファインダ機能を使用することなく、これだけを用いて撮影可能にするものである。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００４５】
通信部１１０は、Ｂｌｕｅｔｏｏｔｈ等のスペクトラム拡散通信による各種近距離高速データ通信機能を有する。アンテナ１１２は、通信部１１０により撮像装置１００と他の機器との通信回線を接続する。
【００４６】
インタフェース１２８は、メモリカードやハードディスク等の記録媒体とのインタフェースを司る。コネクタ１２７は、メモリカードやハードディスク等の記録媒体との接続を行う。
【００４７】
尚、本実施形態では、記録媒体を取り付けるインタフェースおよびコネクタを１系統有する場合を示したが、記録媒体を取り付けるインタフェースおよびコネクタは複数系統であっても構わない。また、異なる規格のインタフェースおよびコネクタを組み合わせてもよい。さらに、インタフェースおよびコネクタとしては、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードやＣＦ（コンパクトフラッシュ（登録商標））カード、ＭＭＣ（マルチメディアカード）等の規格に準拠したものを用いてもよい。さらに、インタフェース１２８、コネクタ１２７として、ＰＣＭＣＩＡカードやＣＦカード等の規格に準拠したものを用いた場合、ＬＡＮカード、モデムカード、ＵＳＢカード、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４カード、Ｐ１２８４カード、ＳＣＳＩ（Ｓｍａｌｌ  Ｃｏｍｐｕｔｅｒ  Ｓｙｓｔｅｍ  Ｉｎｔｅｒｆａｃｅ）カード、ＰＨＳ等の通信カードなどの各種通信カードを接続することにより、他のコンピュータやプリンタ等の周辺機器との間で画像データや画像データに付属した管理情報を転送し合うことができる。
【００４８】
記録媒体１２０はメモリカードやハードディスク等から構成される。この記録媒体１２０は、半導体メモリや磁気ディスク等から構成される記録部１２２、撮像装置１００とのインタフェース１２４、撮像装置１００との接続を行うコネクタ１２６、および識別情報部１２９を有する。
【００４９】
図４は携帯端末３００の内部の電気的構成を示すブロック図である。携帯端末３００は、マイク３１０、スピーカ３１８、Ａ／Ｄ変換器３１２、Ｄ／Ａ変換器３１６、メモリ制御回路３１４、メモリ３２０、Ｄ／Ａ変換器３２２、画像表示部３２４、アンテナ３２８、通信部３２６、インタフェース３９０、コネクタ３９２、アンテナ３３２、通信部３３０、通信システム制御回路３５０、識別情報部３５６、電源制御部３８０、コネクタ３８２、３８４、電源３８６、メモリ３５２、不揮発性メモリ３５４、表示部３６０、操作部３６２、着信通知部３６４および記録媒体着脱検知部３６６を備える。
【００５０】
マイク３１０は音声を電気信号に変換する。Ａ／Ｄ変換器３１２はマイク３１０のアナログ出力信号をディジタル信号に変換する。メモリ制御回路３１４は、Ａ／Ｄ変換器３１２の出力データのメモリ３２０への書き込み／読み出し、メモリ３２０から読み出されたデータのＤ／Ａ変換器３１６への入力を制御する。
【００５１】
Ｄ／Ａ変換器３１６はディジタル信号をアナログ信号に変換する。スピーカ３１８は電気信号を音声信号に変換する。メモリ３２０は、マイク３１０で入力した音声および／または撮像装置１００から送信された静止画像や動画像を格納するものであり、所定時間の音声および／または所定枚数の静止画像、所定時間の動画像を格納するのに十分な記憶容量を有する。Ｄ／Ａ変換器３２２は、メモリ３２０に格納された静止画像データや動画像データをアナログ信号に変換する。画像表示部３２４は、Ｄ／Ａ変換器３２２から出力される画像信号を表示する。
【００５２】
通信部３２６は、ＴＤＭＡ（Ｔｉｍｅ  Ｄｉｖｉｓｉｏｎ  Ｍｕｌｔｉｐｌｅ  Ａｃｃｅｓｓ：時分割多重）、ＣＤＭＡ（Ｃｏｄｅ  Ｄｉｖｉｓｉｏｎ  Ｍｕｌｔｉｐｌｅ  Ａｃｃｅｓｓ：符号分割多重）、Ｗ−ＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ：広帯域符号分割多重）等の各種遠距離無線通信機能を有する。アンテナ３２８は、通信部３２６により携帯端末３００と他の携帯端末および／または通信基地局との通信回線を接続する。
【００５３】
通信部３３０は、Ｂｌｕｅｔｏｏｔｈ等のスペクトラム拡散通信の各種近距離高速データ通信機能を有する。アンテナ３３２は、通信部３３０により携帯端末３００と他の機器との通信回線を接続する。
【００５４】
通信システム制御回路３５０は、携帯端末３００全体を制御する。メモリ３５２は、通信システム制御回路３５０の動作用の定数、変数、プログラム等を記憶する。不揮発性メモリ３５４は電気的に消去可能なメモリであり、不揮発性メモリ３５４として、例えばＥＥＰＲＯＭ等が用いられる。
【００５５】
識別情報部３５６には、通信部３３０およびアンテナ３３２を介して撮像装置１００と通信を行う際、通信に先立って認証を行うための各種識別情報が格納されている。表示部３６０は、通信システム制御回路３５０におけるプログラムの実行に応じ、文字、画像、音声等を用いて動作状態やメッセージ等を表示する液晶表示装置、スピーカなどで構成され、携帯端末３００の操作部近辺の視認し易い位置に単数あるいは複数設置されている。表示部３６０は、例えばＬＣＤ、ＬＥＤ、発音素子などを組み合わせて構成される。
【００５６】
操作部３６２は、通信システム制御回路３５０の各種の動作指示を入力するものであり、スイッチ、ダイアル、タッチパネル、視線検知によるポインティングデバイス、音声認識装置などを単数あるいは複数の組み合わせて構成される。操作部３６２では、携帯端末３００の電源オン／オフ、通話の実行（オフフック）／停止（オンフック）、電話番号入力、電話番号検索、通信モード切り替えなどの操作を行うことができる。
【００５７】
着信通知部３６４は、他の携帯端末および通信基地局から通話の着信があった場合、呼出し音、発声音、音楽等の音声、および／またはアイコン、動画、静止画、発光等の画像、および／または振動などにより、携帯端末３００の使用者に着信を通知する。記録媒体着脱検知部３６６は、コネクタ３９２に記録媒体２００が装着されているか否かを検知する。
【００５８】
電源制御部３８０は、電池検出回路、ＤＣ−ＤＣコンバータ、通電するブロックを切り替えるスイッチ回路などから構成されており、電池の装着の有無、電池の種類、電池残量の検出を行い、その検出結果および通信システム制御回路３５０の指示に基づき、ＤＣ−ＤＣコンバータを制御し、必要な電圧を必要な期間、記録媒体を含む各部に供給する。
【００５９】
電源部３８６は、アルカリ電池やリチウム電池等の一次電池、ＮｉＣｄ電池、ＮｉＭＨ電池、Ｌｉ−ｉｏｎ電池等の二次電池、ＡＣアダプタなどから構成される。インタフェース３９０は、メモリカードやハードディスク等の記録媒体とのインタフェースを司る。コネクタ３９２は、メモリカードやハードディスク等の記録媒体との接続を行う。
【００６０】
尚、本実施形態では、記録媒体を取り付けるインタフェースおよびコネクタを１系統有する場合を示したが、記録媒体を取り付けるインタフェースおよびコネクタを複数系統数備えても構わない。また、異なる規格のインタフェースおよびコネクタを組み合わせても構わない。さらに、インタフェースおよびコネクタとしては、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カード、ＣＦ（コンパクトフラッシュ（登録商標））カード、ＭＭＣ（マルチメディアカード）等の規格に準拠したものを用いてもよい。
【００６１】
さらに、インタフェース３９０、コネクタ３９２にＰＣＭＣＩＡカードやＣＦカード等の規格に準拠したものを用いた場合、ＬＡＮカード、モデムカード、ＵＳＢカード、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４カード、Ｐ１２８４カード、ＳＣＳＩ（Ｓｍａｌｌ  Ｃｏｍｐｕｔｅｒ  Ｓｙｓｔｅｍ  Ｉｎｔｅｒｆａｃｅ）カード、ＰＨＳ等の通信カードなどの各種通信カードを接続することにより、他のコンピュータやプリンタ等の周辺機器との間で画像データや画像データに付属した管理情報を転送し合うことができる。
【００６２】
記録媒体２００は、メモリカードやハードディスク等から構成されている。記録媒体２００は、半導体メモリや磁気ディスク等から構成される記録部２０２、携帯端末３００とのインタフェース２０４、携帯端末３００との接続を行うコネクタ２０６および識別情報部２０８を備える。
【００６３】
このように、撮像装置１００は、撮影レンズ１０を介して撮像した画像データを記録媒体１２０に記憶し、通信部１１０およびアンテナ１１２を介して携帯端末３００に送信する。携帯端末３００は、アンテナ３３２および通信部３３０を介して受信した画像データを、着脱可能な記録媒体２００に記録すると共に、通信部３２６およびアンテナ３２８を介して公衆通信網に接続された他の携帯端末または通信基地局としての携帯端末７００、さらには撮像装置５００に送信することができる。
【００６４】
上記構成を有する画像転送システムの動作を示す。図５および図６は携帯端末３００における画像転送処理手順を示すフローチャートである。この処理プログラムは、メモリ３５２に格納されており、通信システム制御回路３５０内のＣＰＵ（図示せず）によって実行される。
【００６５】
まず、携帯端末３００の電源がＯＮになると（ステップＳ５０１）、携帯端末３００および撮像装置１００間でＢｌｕｅｔｏｏｔｈ等の近距離無線通信を起動し（ステップＳ５０２）、周囲に携帯端末３００と通信可能な撮像装置１００があるか否かを探すための問合せ要求を出す（ステップＳ５０３）。
【００６６】
この問合せの結果を判別し（ステップＳ５０４）、ＯＫでない場合、そのまま処理を終了し、一方、問合せの結果がＯＫで、１つ以上の通信可能な撮像装置１００が見つかった場合、これらの中から該当する撮像装置１００を検索する（ステップＳ５０５）。この検索は、メモリ３５２に記憶された撮像装置のアドレスと通信可能な撮像装置１００のアドレスとを突き合わせて比較することにより行われる。あるいは、１つ以上の通信可能な撮像装置１００を表示部３６０にリストとして表示し、このリストの中からユーザが選択することにより行われる。
【００６７】
そして、通信相手となる撮像装置１００が発見されたか否かを判別する（ステップＳ５０６）。撮像装置１００が発見されなかった場合、そのまま処理を終了し、一方、撮像装置１００が発見された場合、Ｂｌｕｅｔｏｏｔｈ等の近距離無線通信により選択された撮像装置１００との接続を確立し、撮像装置１００内のメモリ３０に記憶された複数の画像の中から１つもしくは複数の画像の情報を得るために、画像リスト情報要求を撮像装置１００に送信する。（ステップＳ５０７）。
【００６８】
この画像リスト情報要求に対する画像リスト情報を受信したか否かを判別する（ステップＳ５０８）。画像リスト情報を受信しなかった場合、そのまま処理を終了する。一方、画像リスト情報を受信した場合、携帯端末３００は、受信した画像リスト情報を基に撮像装置１００内のメモリ３０に何枚画像があるかを計算し、その数を判別する（ステップＳ５０９）。画像リスト情報には、撮像装置１００内のメモリ３０に記憶された画像ファイル名、画像サイズ等が含まれており、撮像装置１００内のメモリ３０に記憶されている画像数は、例えば画像ファイル名の数から計算可能である。
【００６９】
計算の結果、撮像装置１００に記憶されている画像枚数が１枚である場合、携帯電話３００の画像表示部３２４に１枚だけ表示するために、画像リスト情報の画像サイズおよび画像表示部３２４の表示解像度を基に、表示可能であるか否かを判別する（ステップＳ５２６）。表示可能でない場合、ステップＳ５１０の処理に移行する。一方、表示可能である場合、撮像装置１００に画像要求を送信する（ステップＳ５１７）。
【００７０】
一方、ステップＳ５０９で画像枚数が携帯端末３００の画像表示能力以下である場合、あるいはステップＳ５２６で表示可能でない場合、撮像装置１００にサムネイル画像要求を送信する（ステップＳ５１０）。このサムネイル画像要求では、記憶されている画像毎に、複数のサムネイル画像要求を送信する場合もあり、単一のサムネイル画像要求で、メモリ３０に記憶されている全画像のサムネイル画像の送信を要求する場合もある。
【００７１】
そして、撮像装置１００からサムネイル画像を受信できたか否かを判別する（ステップＳ５１２）。サムネイル画像を受信できなかった場合、そのまま処理を終了する。一方、サムネイル画像を受信できた場合、画像表示部３２４に複数のサムネイル画像を表示し、ユーザに画像を選択させる（ステップＳ５１４）。ユーザが画像を選択したか否かを判別し（ステップＳ５１６）、ユーザが画像を選択すると、撮像装置１００に画像要求を送信する（ステップＳ５１７）。
【００７２】
一方、ステップＳ５０９で計算の結果、撮像装置１００に記憶されている画像枚数が複数枚であり、合計したサムネイル画像サイズが画像表示部３２４の表示解像度を越える場合、画像リスト情報で得られた画像ファイル名をキャラクタコードとして表示するか、あるいは新たに画像ファイル名要求を撮像装置１００に送信する（ステップＳ５１１）。ここでは、新たに画像ファイル名要求を行う場合を示す。この画像ファイル名要求では、記憶されている画像毎に複数の画像ファイル名要求を送信する場合もあり、単一の画像ファイル名要求でメモリ３０に記憶されている全画像の画像ファイル名の送信を要求する場合もある。
【００７３】
そして、撮像装置１００から画像ファイル名を受信できたか否かを判別する（ステップＳ５１３）。画像ファイル名を受信できなかった場合、そのまま処理を終了する。一方、画像ファイル名を受信できた場合、画像表示部３２４に複数の画像ファイル名を表示し、ユーザに画像を選択させる（ステップＳ５１５）。ユーザが画像を選択したか否かを判別し（ステップＳ５１６Ａ）、ユーザが画像を選択すると、画像要求を撮像装置１００に送信する（ステップＳ５１７）。一方、ユーザが画像を選択していない場合、ステップＳ５１５の処理に戻って、ユーザが画像を選択するのを待つ。
【００７４】
ステップＳ５１７の画像要求では、画像だけでなく画像情報、例えば図８に示すフォーマットの画像情報を合わせて要求してもよい。図８は撮像装置１００における画像情報のフォーマットを示す図である。この画像情報には、ファイル名、日時、画像を撮影した撮像装置の機種名、画像データ等が含まれる。また、ＧＰＳ（グローバルポジショニングシステム）を使用した位置情報、公衆網を使用した無線通信のための基地局の位置に基づく位置情報などにより、撮影場所を撮像装置が自動的に認識できる場合、位置情報を操作部から入力できる場合、撮影場所を撮像画像のキーワードとして入力できる場合、上記画像情報にこれらの情報を含ませてもよい。
【００７５】
携帯端末３００では、この要求に対応する画像（画像情報を含む場合、画像および画像情報）を受信したか否かを判別し（ステップＳ５１８）、画像を受信した場合、この画像（画像情報を含む場合、画像および画像情報）を画像表示部３２４に表示してメモリ３２０に記憶する（ステップＳ５１９）。
【００７６】
携帯端末３００における表示・記憶が完了すると、近距離無線通信を停止する（ステップＳ５２０）。この場合、携帯端末３００では、消費電力を節約するために、近距離無線通信を停止するが、ＡＣ電源を使用している場合、近距離無線通信を停止せず、常時接続の状態にしてもかまわない。
【００７７】
さらに、公衆回線に接続するためのアプリケーションを起動する。（ステップＳ５２１）。アプリケーションの指示にしたがって、携帯端末３００の操作部３６２で操作を行い、公衆回線接続先にダイヤルによる接続動作を行い、相手からの応答を待つ。相手から応答が返ってくると、接続処理を行う（ステップＳ５２２）。
【００７８】
接続処理を完了すると、メモリ３２０に記憶されている画像および画像情報を公衆回線に送信する（ステップＳ５２３）。接続先から送信ＯＫが返ってくるのを待ち（ステップＳ５２４）、送信ＯＫが返ってきた場合、公衆回線を切断し（ステップＳ５２５）、この処理を終了する。
【００７９】
図７は撮像装置１００における画像転送処理手順を示すフローチャートである。この処理プログラムは、撮像装置１００内のメモリ５２に格納されており、システム制御回路５０内のＣＰＵ（図示せず）によって実行される。
【００８０】
ここでは、撮像装置１００の電源８６として、ＡＣアダプタではなく、アルカリ電池やリチウム電池等の一次電池、あるいはＮｉＣｄ電池、ＮｉＭＨ電池、Ｌｉ−ｉｏｎ電池等の二次電池が使用されている場合を示す。
【００８１】
まず、撮像装置１００の電源８６がＯＮになると（ステップＳ６０１）、撮像装置１００の電池の残量がＯＫであるか否かを判別し（ステップＳ６０２）、電池の残量がＯＫである場合、以下の処理を実行する。
【００８２】
即ち、撮像装置１００が周囲に通信可能な携帯端末３００を探すための問い合わせ要求待ちを行い（ステップＳ６０３）、この問合せ要求の待ち受け状態で問合せ要求を受信したか否かを判別する（ステップＳ６０４）。問合せ要求を受信していない場合、ステップＳ６０３の処理に戻る。
【００８３】
一方、問い合わせ要求を受信した場合、携帯端末３００および撮像装置１００間でＢｌｕｅｔｏｏｔｈ等の近距離無線通信を起動し（ステップＳ６０５）、問合せ結果を携帯端末３００に通知する（ステップＳ６０６）。
【００８４】
問合せ結果がＯＫであるか否かを判別し（ステップＳ６０７）、ＯＫでない場合、ステップＳ６０３の処理に戻る。一方、問合せ結果がＯＫで携帯端末３００が通信可能になった場合、携帯端末３００からの画像リスト情報要求の待ち受け状態となり（ステップＳ６０８）、画像リスト情報要求を受信するまで待つ（ステップＳ６０９）。
【００８５】
その要求を受信すると、メモリ３０に記憶された画像リスト情報、例えば図８に示すフォーマットの画像リスト情報の全部または一部を携帯端末３００に送信する（ステップＳ６１０）。
【００８６】
引き続き、携帯端末３００からの画像要求の待ち受け状態となり（ステップＳ６１１）、画像要求を受信するまで待つ（ステップＳ６１２）。その要求を受信すると、要求種別を判別する（ステップＳ６１５）。要求種別が画像要求である場合、メモリ３０に記憶された画像を送信する（ステップＳ６１６）。
【００８７】
一方、要求種別がサムネイル画像要求である場合、メモリ３０に記憶されたサムネイル画像を送信し（ステップＳ６１７）、ステップＳ６１２に戻って再び画像要求の受信を待つ。このとき、ステップＳ６１５で要求種別が画像ファイル名要求である場合、ステップ６１７の処理では、サムネイル画像の代わりに、あるいはサムネイル画像と共に画像ファイル名を含む画像情報（図８参照）を携帯端末３００に送信する。
【００８８】
そして、要求された画像の送信が終了したか否かを判別し（ステップＳ６１８）、画像の送信が終了すると、近距離無線通信を停止し（ステップＳ６１９）、この処理を終了する。一方、ステップＳ６１８で画像の送信が終了していない場合、ステップＳ６１１の処理に戻る。
【００８９】
一方、ステップＳ６０２の判別の結果、電池の残量がＯＫでない場合、その旨の警告を表示部５４に表示し（ステップＳ６１３）、電源８６をＯＦＦにし（ステップＳ６１４）、この処理を終了する。
【００９０】
本実施形態によれば、携帯端末３００の操作性を向上させることができ、携帯端末３００の操作だけで容易に撮像装置１００の画像を選択できる。また、撮像装置１００にＰＰＰやＴＣＰ／ＩＰなどの通信プロトコルを実装する必要がなく、公衆回線接続を使った画像転送を実現できる。
【００９１】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００９２】
例えば、上記実施形態では、携帯端末３００は、撮像装置１００から送信された画像リスト情報から画像数を算出し、撮像装置１００に対して要求画像の種別を送信していたが、撮像装置１００が予め近距離無線通信の起動時、携帯端末３００の画像表示部３２４の表示解像度を問合せ要求から取得し、メモリ３０内に記憶されている画像数と携帯端末３００の画像表示部３２４の表示解像度とを比較し、携帯端末３００に送信する画像種別を決定してもよい。つまり、図５のステップＳ５０９〜ステップＳ５１７およびステップＳ５２６の処理を、撮像装置１００の内部処理として行うようにしてもよい。
【００９３】
また、撮像装置１００は、要求された全ての画像を携帯端末３００に送信していたが、複数の画像が撮像装置１００内のメモリ３０に存在する場合、これらの画像のサムネイル画像を撮像装置１００で作成し、これらのサムネイル画像にファイル名（縮小画像を作成した際に付けられたファイル番号、縮小画像に対応する画像情報のファイル名など）を付加して携帯端末１００に送信するようにし、携帯端末１００はこれらのサムネイル画像を一覧表示するようにしてもよい。そして、その一覧表示を見たユーザが１つもしくは複数のサムネイル画像を選択すると、選択されたサムネイル画像のファイル名を撮像装置１００に送信し、撮像装置３００は、受信したファイル名のサムネイル画像に対応する縮小前の画像情報を携帯端末３００に送信するようにしてもよい。このとき、メモリ３０に１つの画像だけが記憶されている場合、サムネイル画像を送らず、縮小されていない画像情報を送るようにしてもよい。
【００９４】
また、本発明は、前述した実施形態の機能を実現するソフトウェアのプログラムコードを記憶した記録媒体を用いて、装置にプログラムを供給することによって達成される場合にも適用できることはいうまでもない。この場合、記憶媒体から読み出されたプログラムコード自体が本発明の新規な機能を実現することになり、そのプログラム自体およびそのプログラムを記憶した記憶媒体は本発明を構成することになる。上記実施形態では、図５、図６、図７のフローチャートに示すプログラムコードは記憶媒体であるＲＯＭに格納されている。プログラムコードを供給する記憶媒体としては、ＲＯＭに限らず、例えばフレキシブルディスク、ＤＶＤ、不揮発性のメモリカードなどを用いることができる。このことは、後述する第２の実施形態ついても同様である。
【００９５】
［第２の実施形態］
第２の実施形態における画像転送システムについて説明する。第２の実施形態の画像転送システムは、前記第１の実施形態と同様、図１に示すように、画像データを無線によって送信するローカル通信機能（近距離無線通信機能）を有する撮像装置（デジタルカメラ）１００、撮像装置１００から画像データを受信するローカル通信機能と公衆回線を通じてメールの送受信を行う送受信機能とを有する携帯端末３００（携帯電話）、および携帯端末３００からの画像データを伝送する公衆回線網８００から構成されている。
【００９６】
尚、撮像装置１００としては、デジタルカメラに限らず、画像データをデジタルデータとして一時保存または長期保存する機能および保存された画像データを出力する機能（例えば、画像サーバ機能）を有するＰＤＡ（Ｐｅｒｓｏｎａｌ  Ｄｉｇｉｔａｌ  Ａｓｓｉｓｔａｎｔ）等であってもよい。また、携帯端末３００は、携帯電話に限らず、ＰＨＳ等のデジタル無線電話や回線接続機能を有するＰＣ等の機器であってもよい。
【００９７】
図９はデジタルカメラ１００の背面図である。デジタルカメラ１００の背面には、撮影する被写体を確認したり、撮影した画像を確認したり、通信設定メニュー等を表示するための表示部９０２が左寄りに設けられている。表示部９０２の下方には、再生画像の切り替え、ソフトウェアキーボードのキー入力選択等、デジタルカメラを操作するための選択スイッチ９０３が配置されている。選択スイッチ９０３の右側に配置されたモード切り替えスイッチ９０４は、携帯電話３００との間で通信を行うためのローカル通信モードのメニューを表示させるスイッチである。
【００９８】
図１０、図１１および図１２はローカル通信モード中に表示部９０２に表示される各種の画面を示す図である。図１３は第２の実施形態の画像データ転送におけるデジタルカメラ１００と携帯電話３００との間のローカル通信シーケンスを示す図である。
【００９９】
第２の実施形態の画像データ転送システムでは、デジタルカメラ１００において、回線等の接続情報の他、ローカル通信で転送される画像データを公衆回線に即時送信するか、あるいは画像データの転送先である携帯電話３００に一旦蓄積し、携帯電話３００の操作によりメッセージを編集する等の操作を行った後、蓄積された画像データを送信するかといった指示情報を与える機能が付加されている。
【０１００】
また、ローカル通信によりデジタルカメラ１００から送られた回線等の接続情報に含まれる画像選択情報を基に、公衆回線接続機能を有する携帯電話３００から、選択された画像データのサイズ等の情報を取得する機能、および取得した画像データの情報を用い、携帯電話３００のバッファの空き状況等の状態に応じてデジタルカメラ１００から画像データを取得する機能が付加されている。
【０１０１】
これらの機能により、デジタルカメラ１００から画像データの公衆回線への転送タイミングを選択することができ、さらにデジタルカメラ１００から指定された画像データの転送動作を行う際、携帯電話３００は、その状態に応じて任意のタイミングで画像データを転送することができる。
【０１０２】
つぎに、デジタルカメラ１００のローカル通信モードにおける主要な処理を示す。図１４、図１５および図１６は図１３のローカル通信モードにおけるデジタルカメラ１００の制御処理手順を示すフローチャートである。この処理プログラムはデジタルカメラ１００のシステム制御回路５０内のＲＯＭ（図示せず）に格納され、ＣＰＵ（図示せず）によって実行される。
【０１０３】
まず、デジタルカメラ１００のローカル通信モード切り替えスイッチ９０４を押すと、デジタルカメラ１００をローカル通信モードに移行させる（ステップＳ１００１）。そして、デジタルカメラ１００の表示部９０２にローカル通信モードの初期画面１００１を表示する（ステップＳ１００２、図１０（ａ）参照）。この初期画面１００１では、メニューが表示される。
【０１０４】
ユーザによる選択スイッチ９０３の操作（キー選択操作）が行われるのを待ち（ステップＳ１００３）、キー選択操作が行われると、初期画面１００１のメニューからローカル通信モードで使用できる機能一覧表示が選択されたか否かを判別する（ステップＳ１００３）。機能一覧表示が選択された場合、ローカル通信で使用できる機能の一覧表示画面１００２を表示部９０２に表示する（ステップＳ１００５、図１０（ｂ）参照）。
【０１０５】
この画面上でユーザによるキー選択操作を待ち（ステップＳ１００６）、キー選択操作が行われると、回線接続が選択されたか否かを判別する（ステップＳ１００７）。ユーザにより回線接続が選択された場合、接続設定動作を行い、接続情報設定画面１００３を表示部９０２に表示する（ステップＳ１００８、図１０（ｃ）参照）。接続情報設定画面１００３には、最後に設定された情報が表示される。図１０（ｃ）では、宛先のニックネーム、インターネットサービスプロバイダのアクセスポイント等の電話番号、メールアドレスの設定が表示されている。尚、本実施形態では、表示される情報は最終設定情報であるとしているが、例えば電話帳のように、接続情報をニックネームにより管理するデータベースを用いる場合、登録データを選択・表示させることも可能である。この接続設定動作が完了すると、転送設定動作を行う（ステップＳ１００９）。
【０１０６】
図１７はステップＳ１００９における転送動作処理手順を示すフローチャートである。まず、転送設定画面１００４を表示する（ステップＳ１１０１、図１０（ｄ）参照）。この転送設定画面１００４は、転送される画像等のデータ処理要求を選択するための画面である。この転送設定画面１００４上では、メール転送（ｅ−ｍａｉｌ）、ＦＴＰ転送（ＦＴＰアップロード）、フォルダー指定転送が選択可能に表示される。この画面で転送方法が選択されると、各サブメニュー画面（図示せず）が表示される。
【０１０７】
そして、ＦＴＰ転送設定（アップロード）が選択されたか否かを判別する（ステップＳ１１０２）。ＦＴＰ転送設定が選択された場合、ＦＴＰ設定動作を行う（ステップＳ１１０３）。さらに、上記接続情報の他に、必要な情報（ＦＴＰサーバの指定等）の設定画面を表示し、この画面により設定確認および変更を行い、設定が完了すると、設定情報を保存する（ステップＳ１１０４）。この後、設定が完了したか否かを判別する（ステップＳ１１０５）。尚、本実施形態では、転送設定のサブメニューで必要な情報を設定するとしたが、接続情報設定画面上あるいは別ページにより設定することも可能である。
【０１０８】
一方、ステップＳ１１０２で転送設定画面１００４上からＦＴＰ転送設定が選択されなかった場合、メール転送設定が選択されたか否かを判別する（ステップＳ１１０６）。メール転送設定が選択された場合、図１０（ｅ）のメール設定メニュー画面１００５を表示し、転送先のメールアドレスの設定および必要に応じてメッセージの編集を行う（ステップＳ１１０７）。メール設定メニューの設定動作が終了すると、メールアドレス等の情報を保存すると共に、メールの本文を作成テキストファイルとして保存し（ステップＳ１１０８）、ステップＳ１１０５の処理に移行する。
【０１０９】
ステップＳ１１０５で設定が未完了であると判別された場合、ステップＳ１１０２の処理に戻り、前述した動作を繰り返し、種々の情報設定を行う。一方、ステップＳ１１０５で設定が完了であると判別された場合、即時転送が選択されたか否かを判別する（ステップＳ１１０９）。即ち、デジタルカメラ１００から転送されたデータを携帯電話３００から回線上に即時転送させるか、あるいは携帯電話３００に接続情報および指定された画像ファイル等のデータを蓄積・保存させるかを選択する。
【０１１０】
即時転送が選択された場合、携帯電話３００に即時配信を要求するための情報を各設定ファイルに追加し、最終設定ファイルとして保存する（ステップＳ１１１０）。一方、携帯電話３００にデータを蓄積させたい場合、同様に、データ蓄積指示要求情報を設定ファイルに追加し、最終設定ファイルとして保存する（ステップＳ１１１１）。この後、本処理を終了し、メインのステップＳ１０１０の処理に復帰する。
【０１１１】
また一方、ステップＳ１１０６でメール転送設定が選択されなかった場合、キャンセルが選択されたか否かを判別する（ステップＳ１１１２）。キャンセルが選択されなかった場合、ステップＳ１１０２の処理に戻る。一方、キャンセルが選択された場合、キャンセル指示をセットし（ステップＳ１１１３）、本処理を終了し、メイン処理に復帰する。尚、この転送設定動作処理では、転送設定画面１００４上に示された「フォルダー指定転送」を行う場合が示されていないが、フォルダー指定転送設定が行えるようにしてもよいことは勿論である。
【０１１２】
つづくメイン処理では、画像選択動作処理を行う（ステップＳ１０１０）。図１８はステップＳ１０１０における画像選択動作処理手順を示すフローチャートである。まず、ファイルリストを取得し（ステップＳ１２０１）、１画面に表示可能であるか否かを判別する（ステップＳ１２０２）。１画面に表示可能である場合、全ての画像データを取得する（ステップＳ１２０３）。一方、１画面に表示可能でない場合、表示可能な数の画像データを取得し（ステップＳ１２０４）、そのページ情報を記憶する（ステップＳ１２０５）。
【０１１３】
そして、取得した画像データの選択画面１００６（図１０（ｆ）参照）を表示し（ステップＳ１２０６）、ファイルの登録操作が行われたか否かを判別する（ステップＳ１２０７）。
【０１１４】
ファイルの登録操作が行われた場合、選択ファイルの番号を記憶し（ステップＳ１２０８）、ステップＳ１２０７の処理に戻る。一方、ファイルの登録操作でなかった場合、画像選択終了であるか否かを判別し（ステップＳ１２０９）、画像選択終了である場合、画像登録完了指示をセットし（ステップＳ１２１０）、本処理を終了し、メインのステップＳ１０１１の処理に復帰する。一方、ステップＳ１２０９で画像選択終了でない場合、キャンセルであるか否かを判別する（ステップＳ１２１１）。キャンセルでない場合、ステップＳ１２０７の処理に戻り、一方、キャンセルである場合、キャンセル指示をセットし（ステップＳ１２１２）、本処理を終了し、メインのステップＳ１０１１の処理に復帰する。
【０１１５】
このように、画像選択動作処理では、転送すべき画像の選択動作を行い、画像の選択操作が完了すると、確認画面表示処理を行う（ステップＳ１０１１）。この確認画面表示処理では、動作指示メニュー表示画面１００７（図１１（ａ）参照）を表示し、後述するように、登録画像確認が選択されると、登録画像確認画面１００８（図１１（ｂ）参照）が表示される。ここで、登録画像確認画面１００８に表示された登録済みの画像が全て削除された場合、画像データを添付せずにテキストメールだけが転送されることになる。
【０１１６】
回線接続機能において一連の接続設定が終了すると、動作指示メニュー表示画面１００７（図１１（ａ）参照）を表示し、ユーザからの動作指示（キー選択操作）を待つ（ステップＳ１０１２）。
【０１１７】
動作指示メニュー表示画面１００７上で、キー選択操作があると、接続指示操作であるか否かを判別する（ステップＳ１０１３）。接続機器を選択して接続要求が指示されると、デジタルカメラ１００のローカル通信動作を行う（ステップＳ１０１４）。このとき、図１２（ｃ）に示す通信状態表示画面１０１５が表示される。
【０１１８】
ローカル通信動作で下位プロトコルからローカル通信接続を開始し、ローカル通信接続が完了すると、ステップＳ１００８の回線接続設定処理、ステップＳ１００９の転送設定処理およびステップＳ１０１０の画像選択設定処理で設定された回線接続情報（接続設定ファイル）を転送し（ステップＳ１０１５）、携帯電話３００からのデータ取得要求を待つ（ステップＳ１０１６）。そして、携帯電話３００から先に転送した接続設定ファイルに含まれる画像データ等のファイルを指定したデータ取得要求を受信すると、この要求信号にしたがって、デジタルカメラ１００から１画像データファイル分のデータを一括もしくは分割して携帯電話３００に転送する（ステップＳ１０１７）。
【０１１９】
ここで、回線接続情報に複数の画像データファイルが指定されている場合、携帯電話３００のデータバッファがフル状態になるか、もしくは指定されている全ての画像データファイルを取得するまで上記手順を繰り返す。尚、本実施形態では、データとして画像データである場合が示されているが、転送されるデータは画像データのみならず、前述したメッセージ等のテキストデータや画像に関連付けられた音声データファイル等も同様の手順で転送可能である。
【０１２０】
データ転送が完了したか否かを判別し（ステップＳ１０１８）、このデータ転送が完了すると、デジタルカメラ１０１に対し、ユーザから切断指示があるまで待機する（ステップＳ１０１９）。切断指示があると、ローカル通信の切断動作を行った後（ステップＳ１０２０）、本処理を終了する。一方、ステップＳ１０１８でデータ転送が完了しなかった場合、キャンセル操作が行われたか否かを判別する（ステップＳ１０２１）。キャンセル操作が行われた場合、本処理を終了し、キャンセル操作が行われなかった場合、ステップＳ１０１６の処理に戻る。
【０１２１】
一方、ステップＳ１００４で初期画面１００１のメニューからローカル通信モードで使用できる機能一覧表示が選択されなかった場合、通信機器検索が選択されたか否かを判別する（ステップＳ１０２２）。通信機器検索が選択された場合、機器検索動作を行い（ステップＳ１０２３）、ステップＳ１０１３の処理に移行する。また一方、ステップＳ１０２２で通信機器検索が選択されなかった場合、サービス検索が選択されたか否かを判別する（ステップＳ１０２４）。サービス検索が選択された場合、サービス検索動作を行い（ステップＳ１０２５）、ステップＳ１００４の処理に戻る。また一方、ステップＳ１０２４でサービス検索が選択されなかった場合、設定が選択されたか否かを判別する（ステップＳ１０２６）。選択が選択された場合、設定動作を行い（ステップＳ１０２７）、ステップＳ１００４の処理に戻る。一方、設定が選択されなかった場合、本処理を終了する。
【０１２２】
また一方、機能一覧が表示された画面１００２上で、ステップＳ１００７における回線接続が選択されなかった場合、ファイル転送が選択されたか否かを判別する（ステップＳ１０２８）。ファイル転送が選択された場合、画像選択動作を行い（ステップＳ１０２９）、ステップＳ１０１１の処理に移行する。一方、ステップＳ１０２８でファイル転送が選択されなかった場合、印刷が選択されたか否かを判別する（ステップＳ１０３０）。印刷が選択された場合、印刷設定動作を行い（ステップＳ１０３１）、ステップＳ１０１１の処理に移行する。また一方、ステップＳ１０３０で印刷が選択されなかった場合、自動保存が選択されたか否かを判別する（ステップＳ１０３２）。自動保存が選択された場合、自動保存動作を行い（ステップＳ１０３３）、本処理を終了する。一方、自動保存が選択されなかった場合、ステップＳ１００２の処理に戻る。
【０１２３】
一方、動作指示メニュー表示画面１００７上でステップＳ１０１３における接続指示操作が選択されなかった場合、端末検索が選択されたか否かを判別する（ステップＳ１０３４）。端末検索が選択された場合（図１１（ｅ）参照）、機器検索動作を行い（ステップＳ１０３５）、ステップＳ１０１２の処理に戻る。この端末検索の結果、図１１（ｆ）の画面１０１２が表示される。
【０１２４】
また一方、ステップＳ１０３４で端末検索が選択されなかった場合、通信情報確認が選択されたか否かを判別し（ステップＳ１０３６）、通信情報確認が選択された場合（図１１（ｃ）参照）、通信情報確認動作を行い（ステップＳ１０３７）、ステップＳ１０１２の処理に戻る。この動作では、図１１（ｄ）に示す通信情報確認画面１０１０が表示される。
【０１２５】
また一方、ステップＳ１０３６で通信情報確認が選択されなかった場合、登録端末一覧が選択されたか否かを判別し（ステップＳ１０３８）、登録端末一覧が選択された場合（図１２（ａ）参照）、登録端末表示動作を行い（ステップＳ１０３９）、ステップＳ１０１２の処理に戻る。この登録端末検索の結果、図１２（ｂ）の画面１０１４が表示される。
【０１２６】
また一方、ステップＳ１０３８で登録端末一覧が選択されなかった場合、登録画像確認が選択されたか否かを判別し（ステップＳ１０４０）、登録画像確認が選択された場合（図１１（ａ）参照）、登録画像確認動作を行う（ステップＳ１０４１）。この動作では、図１１（ｂ）に示す登録画像確認画面１００８が表示される。この後、ステップＳ１０１２の処理に戻る。
【０１２７】
つぎに、転送設定画面１００４（図１０（ｄ）参照）でメール転送が選択された場合の通信シーケンスを図１３を用いて示す。デジタルカメラ１００でメールによる画像データ転送が選択された場合、上記一連の処理手順により携帯電話３００との間で下位プロトコルによる接続が行われ、続いて上位プロトコルによるサービスの確認動作が行われる。
【０１２８】
携帯電話３００がサポートしているサービスと要求サービスが一致していることが確認されると、デジタルカメラ１００から送信先メールアドレス、転送画像情報などを含む回線接続情報が携帯電話３００に転送される。この回線接続情報を受信した携帯電話３００は、回線接続情報を保存した後、デジタルカメラ１００で選択・指定された画像ファイル名を抽出し、この選択された画像ファイルのデータ取得要求を順次、デジタルカメラ１００に送信する。
【０１２９】
このデータ取得要求を受けたデジタルカメラ１００は、指定された画像データファイルを、取得要求にしたがって分割もしくは一括して携帯電話３００に転送する。この動作は、携帯電話のバッファがフルになるか、もしくは指定された全ての画像データファイルが転送されるまで繰り返される。このシーケンスでは、１画像データを連続して２回に分けて転送する場合を示しているが、画像データファイルのファイルサイズが大きい場合、更に複数回に分割して転送される。また、指定された画像データファイルがローカル通信で一度に転送できるサイズの範囲に入っている場合、一度の画像転送要求で１画像データファイルが転送される。
【０１３０】
さらに、画像データファイルの転送は、携帯電話３００からの指示により行われるので、携帯電話３００の状態によって連続して要求することも、一旦転送を中断することも可能である。この画像データの転送終了後、通信状態表示画面上の操作による切断指示が出されるまで、通信路の接続は確保された状態となる。
【０１３１】
図１３のシーケンスでは、動作を簡単にするために、画像データ転送前の指定された画像ファイルに関するサイズ等の情報取得手順およびテキストファイル等の関連データの転送手順は省かれている。例えば、携帯電話３００のデータバッファの容量があまり無い場合や、複数の画像データがデジタルカメラ１００で指定された場合、携帯電話３００のバッファの空き状況に応じたデータ転送制御を行うために、必要となる画像データサイズ情報の取得が行われる。また、テキストデータや音声データファイル等の関連データも、画像データと同様の手順で取得される。
【０１３２】
図１９、図２０および図２１はローカル通信モードにおける携帯電話３００の制御処理手順を示すフローチャートである。この処理プログラムは携帯電話３００内のメモリ（ＲＯＭ）３５２に格納され、通信システム制御回路３５０内のＣＰＵ（図示せず）によって実行される。
【０１３３】
始めに、ローカル通信モードに移行すると（ステップＳ１３００）、接続要求があるまで待機する（ステップＳ１３０１）。上記一連のシーケンスにより下位プロトコルによる下位層接続動作を完了し（ステップＳ１３０２）、サービス確認動作で上位プロトコルの接続を完了した後（ステップＳ１３０３）、サービス要求と機能とが一致するか否かを判別する（ステップＳ１３０４）。一致しなかった場合、接続拒否動作処理を行う（ステップＳ１３０５）。
【０１３４】
一方、サービス要求と機能とが一致した場合、デジタルカメラ１００から回線接続要求があるか否かを判別する（ステップＳ１３０６）。デジタルカメラ１００からの回線接続要求によるローカル通信であった場合、デジタルカメラ１００から回線接続情報を受信したか否かを判別する（ステップＳ１３０７）。
【０１３５】
回線接続情報を受信した場合、携帯電話３００では、この回線接続情報の接続情報ファイルを一時保存する（ステップＳ１３０８）。そして、回線接続情報からデジタルカメラ１００により転送が指定された画像データファイルのファイル名を抽出し（ステップＳ１３０９）、この指定された画像データファイルに関する画像サイズや画像ファイルサイズ等の情報取得要求をデジタルカメラ１００に対して送信する（ステップＳ１３１０）。
【０１３６】
一方、ステップＳ１３０７で回線接続情報を受信しなかった場合、中断指示があったか否かを判別する（ステップＳ１３１１）。中断指示があった場合、切断動作を行い（ステップＳ１３１２）、本処理を終了する。一方、中断指示がなかった場合、ステップＳ１３０７の処理に戻る。
【０１３７】
また、ステップＳ１３１０で画像ファイルサイズ等の情報取得要求を行った後、画像サイズ情報を受信したか否かを判別する（ステップＳ１３１３）。画像サイズ情報を受信しなかった場合、中断指示があったか否かを判別する（ステップＳ１３１４）。中断指示があった場合、切断動作を行い（ステップＳ１３１５）、本処理を終了する。一方、中断指示がなかった場合、ステップＳ１３１３の処理に戻る。
【０１３８】
一方、画像サイズ情報を受信した場合、取得した画像サイズ情報を保存する（ステップＳ１３１６）。この画像サイズ情報の保存を終了すると、回線接続情報に含まれている画像ファイル情報のうち、指定された全ての画像データファイルに対する画像サイズ情報を取得したか否かを判別する（ステップＳ１３１７）。
【０１３９】
全ての画像サイズ情報を取得したと判別された場合、回線接続情報で指定されている画像ファイルデータの取得要求をデジタルカメラ１００に送信する（ステップＳ１３１８）。一方、全ての指定された画像ファイルに対する画像サイズ情報が未取得であると判別された場合、ステップＳ１３１０の処理に戻り、再度、画像サイズ情報取得要求を行ってこの情報を取得する。この一連の動作は、全ての指定された画像データファイルの情報を取得し終えるまで続けられる。
【０１４０】
そして、回線接続情報で指定されている全ての画像データファイルの画像サイズ情報取得を完了すると、前述したように、指定されている画像から１つの画像データファイルを選択し、画像データ取得要求をデジタルカメラ１００に送信する。
【０１４１】
画像データファイルの取得要求を送信すると、携帯電話３００では、指定した１画像データファイルを受信したか否かを判別し（ステップＳ１３１９）、１ファイル分の画像データを受信すると、取得した画像データファイルを保存する（ステップＳ１３２０）。
【０１４２】
データの保存が完了すると、つづいて指定された全ての画像データファイルを取得したか否かを判別する（ステップＳ１３２１）。指定された全ての画像データファイルを取得すると、ローカル通信の切断要求があるまで待機し（ステップＳ１３２２）、切断要求があると、ローカル通信を切断する（ステップＳ１３２３）。
【０１４３】
先に保存した回線接続情報を読み込み（ステップＳ１３２４）、メール送信が選択されているか否かを判別する（ステップＳ１３２５）。メール送信が選択されている場合、メーラーを起動し（ステップＳ１３２６）、本処理を終了する。一方、メール送信が選択されていない場合、ＦＴＰ等のデータ転送を行うためのアプリケーションを起動し（ステップＳ１３２７）、本処理を終了する。
【０１４４】
一方、ステップＳ１３２１で指定された全ての画像データファイルの取得を完了していないと判別された場合、携帯電話３００のデータバッファの空き領域を確認し（ステップＳ１３２８）、このバッファサイズと取得すべき画像データファイルのサイズとを比較し、バッファサイズよりも画像ファイルが小さいか否かを判別する（ステップＳ１３２９）。バッファサイズよりも画像デーファイルのサイズが小さいと判別された場合、再度、ステップＳ１３１８の処理に戻り、次の画像データファイルの取得動作を行う。この動作は、回線接続情報に含まれている画像データファイル名のうち、指定されている全てのファイルを取得し終えるか、あるいは携帯電話３００のデータバッファがフルになるまで繰り返される。
【０１４５】
一方、ステップＳ１３２９でデータバッファがフルである場合、既に取得した画像データファイルの情報および未取得の画像データファイル名を保存した後（ステップＳ１３３０）、ステップＳ１３２３のローカル通信の切断動作処理に移行する。
【０１４６】
また一方、ステップＳ１３１９で画像データの受信が完了しない場合、中断指示があるか否かを判別する（ステップＳ１３３１）。中断指示がある場合、切断動作を行い（ステップＳ１３３２）、本処理を終了する。一方、中断指示がない場合、ステップＳ１３１８の処理に戻る。
【０１４７】
一方、ステップＳ１３０６で回線接続要求がない場合、画像データを受信したか否かを判別し（ステップＳ１３３３）、画像データを受信した場合、画像データを保存する（ステップＳ１３３４）。画像データの受信が完了したか否かを判別し（ステップＳ１３３５）、画像データの受信が完了しない場合、ステップＳ１３３３の処理に戻る。一方、画像データの受信が完了した場合、切断要求があるか否かを判別する（ステップＳ１３３６）。切断要求がある場合、切断動作を行い（ステップＳ１３３７）、本処理を終了する。一方、切断要求がない場合、ステップＳ１３３３の処理に戻る。また一方、ステップＳ１３３３で画像データを受信しなかった場合、中断指示があるか否かを判別し（ステップＳ１３３８）、中断指示がある場合、ステップＳ１３３７の処理に移行する。一方、中断指示がない場合、ステップＳ１３３３の処理に戻る。
【０１４８】
そして、携帯電話３００は、このローカル通信終了時にメールの自動送信を行う。図２２および図２３はローカル通信終了後の携帯電話３００におけるメール送信処理手順を示すフローチャートである。
【０１４９】
ローカル通信処理が終了すると、携帯電話３００では、自動送信要求があるか否かを判別する（ステップＳ１４０１）。自動送信要求がない場合、通常動作を行い（ステップＳ１４０２）、本処理を終了する。一方、自動送信要求がある場合、先に保存された回線接続情報を読み出す（ステップＳ１４０３）。メール送信アドレス設定動作を行い、読み出した回線接続情報からｅ−ｍａｉｌアドレスをメーラーにセットする（ステップＳ１４０４）。
【０１５０】
メールテキストの有無を判別し、転送すべきメッセージファイルがあるか否かを確認する（ステップＳ１４０５）。メッセージの入ったテキストファイルがある場合、送信メッセージ設定動作を行う（ステップＳ１４０６）。この送信メッセージ設定動作では、テキストファイルをメールメッセージとしてセットする。
【０１５１】
有効転送データがあるか否かを判別し（ステップＳ１４０７）、有効転送データがない場合、中断処理動作を行い（ステップＳ１４０８）、本処理を終了する。一方、有効転送データがある場合、次に添付するデータを設定した後（ステップＳ１４０９）、回線接続情報によってメールの即時送信が指示されているか否かを判別する（ステップＳ１４１０）。
【０１５２】
一方、即時配信が指示されている場合、回線接続動作を行う（ステップＳ１４１１）。回線が接続されたか否かを判別し（ステップＳ１４１２）、回線が接続されていない場合、接続がタイムアウトしたか否かを判別し（ステップＳ１４１３）、タイムアウトしていない場合、ステップＳ１４１２の処理に戻り、タイムアウトしている場合、エラーメッセージを表示し（ステップＳ１４１４）、本処理を終了する。一方、ステップＳ１４１２で回線が接続された場合、回線接続後、公衆回線経由でメールの送信を行う（ステップＳ１４１５）。メールの送信が完了したか否かを判別し（ステップＳ１４１６）、メールの送信が完了していない場合、中断指示が行われたか否かを判別する（ステップＳ１４１７）。中断指示が行われていない場合、ステップＳ１４１６の処理に戻る。一方、中断指示が行われている場合、あるいはステップＳ１４１６でメールの送信が完了している場合、回線切断動作を行う（ステップＳ１４１８）。この後、データをクリアし（ステップＳ１４１９）、本処理を終了する。
【０１５３】
一方、ステップＳ１４１０で回線接続情報に即時配信が設定されておらず、データ蓄積が指示されている場合、メーラーを起動した状態でメールの自動送信動作を終了する。また一方、ステップＳ１４０５でメッセージの入ったテキストファイルがない場合、登録メッセージがあるか否か判別し（ステップＳ１４２０）、登録メッセージがない場合、そのままステップＳ１４０７の処理に移行し、登録メッセージがある場合、登録メッセージの設定動作を行い（ステップＳ１４２１）、ステップＳ１４０７の処理に移行する。
【０１５４】
尚、本実施形態では、画像ファイルの取得動作だけを示したが、回線接続情報にテキストデータファイル名や画像データファイルに関連した音声ファイル等の情報が記載されている場合、画像データファイルの取得手順と同様の手順でデータの取得要求を送出し、データ転送が行われる。
【０１５５】
また、回線接続情報に画像データファイルに関連したデータファイルの情報が記載されていない場合、画像サイズ等の情報に関連したデータファイルの情報が記載されている場合、この情報から関連データを取得することも可能である。
【０１５６】
さらに、画像データファイルを取得する際、本実施形態では、一度に１画像データファイルを全て転送していたが、携帯電話３００に備わるバッファの容量を越える容量の画像データファイルが指定されている場合、画像データファイルを途中まで転送させた後、回線接続を行って一部の画像データファイルを転送してバッファを空き状態にするといった、ローカル通信と回線接続を同時に行いながら、逐次伝送を行うことも可能である。したがって、ステップＳ１３２９でバッファフルであっても、前述したローカル通信の切断処理以外の処理として、ローカル通信接続を維持したまま、回線接続により画像伝送を行い、バッファが空いた時点で指定された画像データファイルをデジタルカメラ１００から取得することも可能である。
【０１５７】
また、本実施形態では、添付すべき画像データが必ず存在するものとして示したが、前述したように、画像選択動作において添付される画像ファイルの指定を全て削除することも可能である。添付される画像ファイルの指定を全て削除した場合、画像データが無く、テキストファイルの受信があるときは、テキストファイルのみの転送も可能である。
【０１５８】
また、接続情報設定画面１００３（図１０（ｃ）参照）で設定された情報、および転送画像選択画面１００６（図１０（ｆ）参照）で設定された画像情報は、各々ファイルとして保存されるが、この情報ファイルをＤＰＯＦ（Ｄｉｇｉｔａｌ  Ｐｒｉｎｔ  Ｏｒｄｅｒ  Ｆｏｒｍａｔ）などで生成されるファイルと共用することも可能である。
【０１５９】
また、上記実施形態で示したように、画像データファイルの指定情報やテキストファイル・音声ファイル等のファイル指定情報、メールアドレス、ＦＴＰの接続情報、即時送信指示等の転送設定情報を含む回線接続情報を、ＤＰＯＦファイルと共用することも可能である。ＤＰＯＦファイルと共用した場合、デジタルカメラ１００から転送される回線接続情報がＤＰＯＦファイルとなる。
【０１６０】
また、上記実施形態では、転送すべき画像データをデジタルカメラ１００（撮像装置）から携帯電話３００（携帯端末）に転送しているが、携帯端末によっては、装置本体に多くの画像ファイルを保存できるメモリを持たないものがある。このような場合を想定し、携帯端末から転送する画像データのファイル情報を転送し、回線通信装置からバッファに格納できる量の転送画像データを、撮像装置から読み出すようにしてもよい。
【０１６１】
さらに、この場合、携帯端末の公衆回線接続のタイミングは、全ての画像データを受け取った後である必要はなく、例えば、ローカル通信によりメール添付要求を受信し、携帯端末のデータ蓄積バッファがフルになるまでのデータを、撮像装置から出した時点で、メーラを起動してメール送信を開始させ、残りの添付ファイルデータがある場合、バッファの空きに併せて、逐次、撮像装置から読み出しながら公衆回線に転送してもよい。
【０１６２】
また、上記実施形態では、携帯端末として携帯電話を例示しているが、公衆回線にモデムを介して接続されたＰＣや、ローカルエリアネットワークに接続されたＰＣでも同様の機能を実現することができる。ＰＣの場合、容量の大きなハードディスクなどの記憶媒体を具備することが多いので、撮像装置から回線接続要求により転送された画像データを、一時保存ではなく、ハードディスクなどの記憶媒体に保存するようにしてもよい。
【０１６３】
このように、撮像装置に公衆回線通信で必要となる通信プロトコルやアプリケーションを実装することなく、装置の操作のみで容易に公衆回線接続通信が可能であるので、ユーザは複数の装置を操作する煩わしさから開放される。さらに、回線通信装置が有する公衆回線通信アプリケーションを有効に活用することで、撮像装置に重複した機能を追加する必要が無くなり、プログラムを格納するＲＯＭ等の不要な部品によるコストアップを避けることができる。
【０１６４】
また、公衆回線接続通信で伝送する画像データは、公衆回線接続前に高速に転送されるので、モデムを介してダイアルアップを用いる場合に比べ、撮像装置の消費電力を抑えることができる。
【０１６５】
さらに、回線通信装置がＰＣであり、ローカルエリアネットワークによりイントラネットに接続されている場合、メール機能を用いることによりメールサーバーを介して外部と接続できるので、公衆回線に直接接続されていない機器からも容易に画像データを転送できる。
【０１６６】
また、公衆回線接続装置に予めローカル通信による回線接続通信要求時のデータ転送先を、例えば、自宅のメールアドレスなどに登録しておくことで、ユーザは画像入出力装置に面倒な設定を行うことなく、容易にデータ転送を行わせることが可能となり、画像ファイルのバックアップ手段として用いることもできる。
【０１６７】
さらに、画像選択処理により複数の画像を選択できるので、一度の公衆回線接続操作で複数の画像データを転送できる。
【図面の簡単な説明】
【０１６８】
【図１】第１の実施形態に係おける画像転送システムの全体構成を示す図である。
【図２】撮像装置１００および携帯端末３００の外観的構成を示す図である。
【図３】撮像装置１００の内部の電気的構成を示すブロック図である。
【図４】携帯端末３００の内部の電気的構成を示すブロック図である。
【図５】携帯端末３００における画像転送処理手順を示すフローチャートである。
【図６】図５につづく携帯端末３００における画像転送処理手順を示すフローチャートである。
【図７】撮像装置１００における画像転送処理手順を示すフローチャートである。
【図８】撮像装置１００における画像情報のフォーマットを示す図である。
【図９】デジタルカメラ１００の背面図である。
【図１０】ローカル通信モード中に表示部９０２に表示される各種の画面を示す図である。
【図１１】ローカル通信モード中に表示部９０２に表示される各種の画面を示す図である。
【図１２】ローカル通信モード中に表示部９０２に表示される各種の画面を示す図である。
【図１３】第２の実施形態の画像データ転送におけるデジタルカメラ１００と携帯電話３００との間のローカル通信シーケンスを示す図である。
【図１４】図１３のローカル通信モードにおけるデジタルカメラ１００の制御処理手順を示すフローチャートである。
【図１５】図１４につづくデジタルカメラ１００の制御処理手順を示すフローチャートである。
【図１６】図１４および図１５につづくデジタルカメラ１００の制御処理手順を示すフローチャートである。
【図１７】ステップＳ１００９における転送動作処理手順を示すフローチャートである。
【図１８】ステップＳ１０１０における画像選択動作処理手順を示すフローチャートである。
【図１９】ローカル通信モードにおける携帯電話３００の制御処理手順を示すフローチャートである。
【図２０】図１９につづくローカル通信モードにおける携帯電話３００の制御処理手順を示すフローチャートである。
【図２１】図１９および図２０につづくローカル通信モードにおける携帯電話３００の制御処理手順を示すフローチャートである。
【図２２】ローカル通信終了後の携帯電話３００におけるメール送信処理手順を示すフローチャートである。
【図２３】図２２につづくローカル通信終了後の携帯電話３００におけるメール送信処理手順を示すフローチャートである。
【符号の説明】
【０１６９】
５０  システム制御回路
１１０、３２６、３３０  通信部
１００、５００  撮像装置
３００、７００  携帯端末
３５０  通信システム制御回路
８００  公衆通信網
９０２  表示部
９０３  選択スイッチ
９０４  モード切り替えスイッチ
１００３  接続情報設定画面
１００４  転送設定画面
【図１】
2006295957.tif 000003
【図２】
2006295957.tif 000004
【図３】
2006295957.tif 000005
【図４】
2006295957.tif 000006
【図５】
2006295957.tif 000007
【図６】
2006295957.tif 000008
【図７】
2006295957.tif 000009
【図８】
2006295957.tif 000010
【図９】
2006295957.tif 000011
【図１０】
2006295957.tif 000012
【図１１】
2006295957.tif 000013
【図１２】
2006295957.tif 000014
【図１３】
2006295957.tif 000015
【図１４】
2006295957.tif 000016
【図１５】
2006295957.tif 000017
【図１６】
2006295957.tif 000018
【図１７】
2006295957.tif 000019
【図１８】
2006295957.tif 000020
【図１９】
2006295957.tif 000021
【図２０】
2006295957.tif 000022
【図２１】
2006295957.tif 000023
【図２２】
2006295957.tif 000024
【図２３】
2006295957.tif 000025